(57)【要約】映像信号の転送方向を自由に変更することができる映像表示装置を実現する。マスターコントロール（１）は、複数のチャンネルを有し、これらの各チャンネルに、文字または画像を表示させるための映像信号を送る信号線（２）が接続される。信号線（２）は、複数の表示ブロック（３）と信号転送手段である基板Ａ（４）を介して接続される。各表示ブロック（３）は、信号転送手段である基板Ａ（４）と、信号供給手段である基板Ｂ（５）と、発光モジュールであるランプユニット（６）で構成される。そして、表示ブロック（３）に文字または画像を表示させるための映像信号は、マスターコントロール（１）の各チャンネルから、信号線（２）を介してデータ転送方向（７）の方向に送られる。
2005013251.tif 000002
【特許請求の範囲】
【請求項１】
所定方向に配列された複数の表示ブロックを備え、該複数の表示ブロックのそれぞれが複数の発光モジュールを有する表示装置において、
前記発光モジュールに文字または画像を表示させるための信号を、該複数の発光モジュールに直列に供給する信号供給手段と、
一の前記表示ブロックに供給された前記信号を、前記一の表示ブロックにおける前記信号供給手段と、他の前記表示ブロックとに転送する信号転送手段とを、前記表示ブロック毎に有し、
前記信号供給手段は、一の転送方向から転送された前記信号を、前記発光モジュールに供給する第１の信号供給手段と、
他の転送方向から転送された前記信号を、前記発光モジュールに供給する第２の信号供給手段と、
前記第１の信号供給手段と前記第２の信号供給手段とを切り替える切り替え手段と、
を有することを特徴とする映像表示装置。
【請求項２】
前記切り替え手段は、表示装置裏面に障害物があるかどうかを検知する光センサを備え、該光センサの検知信号に基づいて第１の信号供給手段と第２の信号供給手段とを自動で切り替えることを特徴とする請求項１記載の映像表示装置。
【請求項３】
前記切り替え手段は、表示装置裏面に障害物があるかどうかを検知する圧力センサを備え、該圧力センサの検知信号に基づいて第１の信号供給手段と第２の信号供給手段とを自動で切り替えることを特徴とする請求項１記載の映像表示装置。
【請求項４】
所定方向に配列された複数の表示ブロックを備え、該複数の表示ブロックのそれぞれが複数の発光モジュールを有する表示装置において、
前記発光モジュールに文字または画像を表示させるための信号を、該複数の発光モジュールに直列に供給する信号供給手段と、
一の前記表示ブロックに供給された前記信号を、前記一の表示ブロックにおける前記信号供給手段と、他の前記表示ブロックとに転送する信号転送手段とを、前記表示ブロック毎に有し、
前記信号転送手段は、一の転送方向から転送された前記信号を、自表示ブロックにおける前記信号供給手段と、次の表示ブロックとに転送する第１の信号転送手段と、
他の転送方向から転送された前記信号を、自表示ブロックにおける前記信号供給手段と、次の表示ブロックとに転送する第２の信号転送手段と、
前記第１の信号転送手段と前記第２の信号転送手段とを切り替える切り替え手段と、
を有することを特徴とする映像表示装置。
【発明の詳細な説明】
【技術分野】  この発明は、複数の発光モジュールからなる映像表示装置に関する。
【背景技術】  従来より、例えばビルの屋上や壁面等に取付けられる大型の表示装置を構成する場合には、図１７に示す表示装置及び表示装置の信号伝達方法が用いられている。
図１７に示すように、大型の表示装置は、ある一定数量の画素を有するドットマトリックスユニット４０（例えば１６Ｘ１６画素、８Ｘ８画素で１つのユニットを構成するユニット）を縦横に配列し、１画面を構成する。同図では、説明の簡単のために画素集合ユニットを横に４ユニット並べた場合の表示装置の外観図を示している。
映像信号ケーブル４１を通って送られた映像信号は、入力信号用コネクタ４２を介してマトリックスユニット４０に入力さる。入力された映像信号は、図示しないユニット内の回路に取込み、ドライバＩＣを介して出力信号用コネクタ４３より出力される。さらに、出力信号用コネクタ４３より出力された映像信号は、次のマトリックスユニットの入力信号用コネクタ４４に入力される。同様の動作を繰り返すことにより映像信号が、転送方向４５に伝達されることとなる。
図１９は、図１７に示したドットマトリックスユニットを１６ユニット使用した表示装置への映像信号のデータフォーマットを示す例である。同図に示すデータフォーマットは、表示画面上の各画素に対応してアドレスを付したものである。同図に示す画素アドレス４７は、１６進で記述され、３桁目のデータがユニット内の行番号を、２桁目のデータがユニット番号を、１桁目のデータがユニット内の列番号を表している。各画素アドレスのデータは、例えば、ＲＧＢデータである。
映像信号４８は、Ｆ番目のユニットの右下の画素データであるアドレス０ｘＦＦＦのデータを先頭にして、各ユニットの画素に対応するデータを右から左に下から上に並べたシリアルデータである。
映像信号４８は、０番目のドットマトリックスユニット４９に入力信号用コネクタ５０を介して入力される。入力された映像信号４８は、各ユニットに対して右から左へ上から下へデータが転送される。
以上に説明した従来の技術について、特開平０９−００６２８５号公報には、テレビジョン受像器やＶＴＲの画像等を映し出すことにも利用可能な高品位高輝度の表示をおこなうＬＥＤ表示装置について開示されている。
特開２０００−０２００４２号公報には、複数の映像表示装置をマトリックス状に配列して映像信号を表示するようにした映像表示システムについて開示されている。
特開２００２−３１１９３２号公報には、映像を表示する大型画面と映像表示用の信号を送出する大型画面用映像送出装置とが隔てられて配置される映像表示装置について開示されている。
特開２００３−１６２２３３号公報には、複数の発光モジュールからなる表示装置と表示装置の信号の伝送方法、及び信号と電圧の伝送方法について開示されている。
しかし、図１７に示したように従来の表示装置では、一度ユニット内（ドットマトリックスユニット４０）の回路設計をしプリント基板として作成してしまうと、信号の伝送方向が確定されてしまう。
例えば、同図において、各ドットマトリックスユニット４０の左側に入力用コネクタ、右側に出力コネクタがある場合、左側のコネクタから、シリーズ（数珠つなぎ状）にデータが送信されるが、一度確定されたデータ転送の方向（この場合、左側から右側へ）は、変更することができない。また、設置条件などにより右側にコントローラを置き、右側からデータを転送したい場合は、各ドットマトリックスユニット４０を再設計し、プリント基板を再度作成しなければならない。
また、図１８に示すように、強引に現状のユニット仕様で接続しようとすると、右側から来た映像信号ケーブル４１を一度ユニットの左側にある入力用コネクタ４４へ接続して、右側の出力用コネクタ４３から出た信号を、次段のユニットの左側の入力信号用コネクタ４２へ接続するという複雑かつ煩雑な接続形態をとらなければならなくなる。さらに、表示装置に転送する映像信号（シリアルデータ）もより複雑になってしまう。
また、転送されて来たデータは、一度各ユニット内の回路に取り込まれ、ドライバーＩＣを介して、次段ユニットへ転送されていくため、もし途中のユニット内のＩＣ等にトラブルがあった時は、それ以降のユニットへのデータ転送が不可能となってしまう。
しかも、大型の表示装置において、条件によって画素ピッチを大きく離すような場合は、上記の従来型のような１６×１６画素ユニットや８Ｘ８画素ユニット単位でユニットを作成するのは製造技術的に困難さを増してくる。そこで、一般には、クラスターランプという、１画素単位でのランプユニットを縦横に並べていくが、この方法はケーブル類の数量が増加し、それを収納する防水用の箱も必要になる。
以上に述べた従来の映像表示装置の問題点は、一度確定したデータ転送の方向は、変更することが難しいということであり、さらに、強引にデータ転送の方向を変えるとすると、装置構造や転送する映像信号が複雑になってしまうことである。
本発明は、このような従来の構成が有していた問題を解決しようとするものであり、映像信号の転送方向を自由に変更することができる映像表示装置を実現することを目的とするものである。
【発明の開示】
請求項１記載の発明は、所定方向に配列された複数の表示ブロックを備え、該複数の表示ブロックのそれぞれが複数の発光モジュールを有する表示装置において、前記発光モジュールに文字または画像を表示させるための信号を、該発光モジュールに直列に供給する信号供給手段と、一の表示ブロックに供給された前記信号を、前記一の表示ブロックにおける前記信号供給手段と、他の前記表示ブロックとに転送する信号転送手段とを有し、前記信号供給手段は、一の転送方向から転送された前記信号を、前記発光モジュールに供給する第１の信号供給手段と、他の転送方向から転送された前記信号を、前記発光モジュールに供給する第２の信号供給手段と、第１の信号供給手段と第２の信号供給手段とを切り替える切り替え手段と、を前記表示ブロック毎に有することを特徴とする映像表示装置である。
請求項１記載の発明によると、一の転送方向から転送された文字または画像を表示させるための信号を発光モジュールに供給する第１の信号供給手段と、他の転送方向から転送された前記信号を発光モジュールに供給する第２の信号供給手段とを、切り替え手段によって切り替えることにより、前記信号の転送方向に依存することなく発光モジュールに前記信号を供給することが可能となる効果を奏する。
請求項２記載の発明は、前記切り替え手段は、表示装置裏面に障害物があるかどうかを検知する光センサを備え、該光センサの検知信号に基づいて第１の信号供給手段と第２の信号供給手段とを自動で切り替わることを特徴とする請求項１記載の映像表示装置である。
請求項２記載の発明によると、一の転送方向から転送された文字または画像を表示させるための信号を発光モジュールに供給する第１の信号供給手段と、他の転送方向から転送された前記信号を発光モジュールに供給する第２の信号供給手段とを、光センサにより表示装置の裏側にビルの壁などの障害物があるかを検知して自動的に切り替え、さらに、前記信号の転送方向に依存することなく発光モジュールに前記信号を供給することが可能となる効果を奏する。請求項３記載の発明は、前記切り替え手段は、表示装置裏面に障害物があるかどうかを検知する圧力センサを備え、該圧力センサの検知信号に基づいて第１の信号供給手段と第２の信号供給手段とを自動で切り替わることを特徴とする請求項１記載の映像表示装置である。
請求項３記載の発明によると、一の転送方向から転送された文字または画像を表示させるための信号を発光モジュールに供給する第１の信号供給手段と、他の転送方向から転送された前記信号を発光モジュールに供給する第２の信号供給手段とを、圧力センサにより表示装置の裏側にビルの壁などの障害物があるかを検知して自動的に切り替え、さらに、前記信号の転送方向に依存することなく発光モジュールに前記信号を供給することが可能となる効果を奏する。
請求項４記載の発明は、所定方向に配列された複数の表示ブロックを備え、該複数の表示ブロックのそれぞれが複数の発光モジュールを有する表示装置において、前記発光モジュールに文字または画像を表示させるための信号を、該複数の発光モジュールに直列に供給する信号供給手段と、一の前記表示ブロックに供給された前記信号を、前記一の表示ブロックにおける前記信号供給手段と、他の前記表示ブロックとに転送する信号転送手段とを有し、前記信号転送手段は、一の転送方向から転送された前記信号を、自表示ブロックにおける前記信号供給手段と、次の表示ブロックとに転送する第１の信号転送手段と、他の転送方向から転送された前記信号を、自表示ブロックにおける前記信号供給手段と、次の表示ブロックとに転送する第２の信号転送手段と、第１の信号転送手段と第２の信号転送手段とを切り替える切り替え手段と、を前記表示ブロック毎に有することを特徴とする映像表示装置である。
請求項４記載の発明によると、一の転送方向から転送された文字または画像を、自表示ブロックにおける信号供給手段と、次の表示ブロックとに転送する第１の信号転送手段と、他の転送方向から転送された前記信号を、自表示ブロックにおける信号供給手段と、次の表示ブロックとに転送する第２の信号転送手段とを、切り替え手段によって切り替えることにより、前記信号の転送方向を変更することが可能となる効果を奏する。
【図面の簡単な説明】  本発明は、後述する詳細な説明を、下記の添付図面と共に参照すればより明らかになるであろう。
図１は、本発明の実施形態の概要を示す図である。
図２は、本実施例で使用する表示ブロックを示す図である。
図３は、マスターコントロールから表示装置に送られる映像信号データのフォーマットの例を示す図である。
図４は、マスターコントロールから送信される映像信号の概要を示す図である。
図５は、本発明の実施例に使用される基板Ｂの構成例を示す図である。
図６は、本発明の実施例に使用される基板Ｂの変形例を示す図である。
図７は、本実施例に使用される基板Ｂの処理概要を示すフローチャートである。
図８は、基板Ｂを表示装置に対して表取付けした時及び裏取付けした時の図である。
図９は、基板Ｂを表示装置に対して表取付けした設置例を示す図である。
図１０は、基板Ｂを表示装置に対して裏取付けした設置例を示す図である。
図１１は、本発明の実施例で使用する基板Ａの構成例を示す図である。
図１２は、本発明の実施例で使用する基板Ａと基板Ｂを接続した場合の例を示す図である。
図１３は、本発明の実施例で使用する基板Ａと基板Ｂを接続した場合の変形例を示す図である。
図１４は、本発明の実施例で使用する基板Ａと基板Ｂを接続した場合の変形例を示す図である。
図１５は、本発明の実施例で使用する基板Ａと基板Ｂを接続した場合の変形例を示す図である。
図１６は、マスターコントロールの設置位置を変更した場合の表示装置の例を示す図である。
図１７は、従来の大型表示装置の構成例を示す図である。
図１８は、映像信号の転送方向を逆にした場合の従来の大型表示装置の構成例を示す図である。
図１９は、図１７に示したドットマトリックスユニットを１６ユニット使用した表示装置への映像信号のデータフォーマットを示す図である。
１  ・・・  マスターコントロール
２  ・・・  信号線
３  ・・・  表示ブロック
４  ・・・  基板Ａ
５  ・・・  基板Ｂ
６  ・・・  ランプユニット
６０  ・・・  チャンネル０に接続されたランプユニット
６１  ・・・  チャンネル１に接続されたランプユニット
６Ｆ  ・・・  チャンネルＦに接続されたランプユニット
７  ・・・  データ転送方向
８  ・・・  メモリ
９  ・・・  ドライブＩＣ
１０  ・・・  発光素子
１１  ・・・  映像信号データ
１２  ・・・  データ送信方向
１３  ・・・  Ｖシンク
１４  ・・・  映像信号データ
１５  ・・・  クロック
１６  ・・・  データカウント部
１７  ・・・  比較器
１８  ・・・  メモリ選択器
１９  ・・・  位置設定ＳＷ
２０  ・・・  ａｎｄ回路
２１  ・・・  反転用ＳＷ
２２  ・・・  選択器
２３  ・・・  メモリ
２３０・・・  ０チャンネル用メモリ
２３１・・・  １チャンネル用メモリ
２３Ｆ・・・  Ｆチャンネル用メモリ
２４  ・・・  表取付け時の基板Ｂ
２５  ・・・  裏取付け時の基板Ｂ
２６  ・・・  壁
２７  ・・・  表示面
２８  ・・・  ビル
２９  ・・・  表示装置の裏面
３０  ・・・  反転した基板Ｂ
３１  ・・・  反転したチャンネル
３２  ・・・  映像信号入力部
３３  ・・・  基板Ｂへの映像信号出力部
３４  ・・・  次段の表示ブロックへの映像信号出力部
３５  ・・・  スイッチ
３６  ・・・  映像信号入出力部Ａ
３７  ・・・  映像信号入出力部Ｂ
３８  ・・・  基板Ｂへの映像信号出力部
３９  ・・・  基板ＡＢ
【発明を実施するための最良の形態】  以下、本発明の実施例を図１〜図１６に基づいて説明する。
図１は、本発明の実施形態の概要を示す図である。マスターコントロール１は、複数のチャンネルを有し、これら各チャンネル（図１に示すＣｈ１、Ｃｈ２、Ｃｈ３等）には、文字または画像を表示させるための映像信号を送る信号線２が接続される。信号線２は、複数の表示ブロック３と信号転送手段である基板Ａ４を介して接続される。各表示ブロック３は、信号転送手段である基板Ａ４と、信号供給手段である基板Ｂ５と、発光モジュールであるランプユニット６で構成される。そして、表示ブロック３に文字または画像を表示させるための映像信号は、マスターコントロール１の各チャンネルから、信号線２を介してデータ転送方向７の方向に送られる。
図２は、本実施例で使用する表示ブロック３を示す図である。信号線２に接続された基板Ａ４は、マスターコントロール１より送られてきた映像信号を、基板Ｂ５及び次の表示ブロック３に転送する機能のみを有する。これにより、構造が簡単化され、故障の発生を最小限にすることが可能となり、保守作業の軽減が可能となる。
基板Ｂ５は、基板Ａ４より送られたデータから、当該表示ブロック３に必要なデータを取得し、その取得したデータを記録するメモリ８と、メモリ８に記録されたデータを各ランプユニット６に表示させるためのドライブＩＣ回路９とを有する。さらに、ランプユニット６と接続するためのチャンネルを有する。同図は、基板Ｂ５が０チャンネルからｍチャンネルまでのチャンネルを有する場合の例である。
ランプユニット６は、基板Ｂ５が有する各チャンネルを介して基板Ｂ５に接続される。同図は、ｍ個のランプユニットが基板Ｂ５に接続されている場合の例である。基板Ｂに接続される各ランプユニット６は、発光素子１０を複数有している（同図は、ｎ個の発光素子１０を有する場合の例である）。発光素子１０は、例えばＲＧＢデータを表示するため、各Ｒ（赤）Ｇ（緑）Ｂ（青）に対応したＬＥＤ（発光ダイオード）等の組み合わせにより構成される。
ここで、映像信号は、表示画面の左から右へ、上から下へと転送される。したがって、同図においては、ランプユニット６０、ランプユニット６１、ランプユニット６２の順に映像が転送される。この場合の基板Ｂ５に対するランプユニット６の接続位置を以下の説明においてはランプユニット表示位置と言う。例えば、ランプユニット６０のランプユニット表示位置は０、ランプユニット６１のランプユニット表示位置は１となり、ランプユニット６ｍのランプユニット表示位置はｍとなる。
また、メモリ８には、各ランプユニットで必要な映像信号が整理されて記録されるようになっている。例えば、０チャンネルのランプユニット６０に対しては、そのランプユニット内の０〜ｎまでの発光素子に対応するデータが記録され、１チャンネルのランプユニットに対しては、そのランプユニット内の０〜ｎまでの発光素子に対応するデータが記録される。
さらに、メモリ８は２つのメモリで構成され、記録処理と読出し処理が交互に行われる。一方のメモリに基板Ａ４からの映像信号が記録されている間に、他方のメモリから既に記録された映像信号が読出され、各ランプユニットにデータが転送される。
図３は、マスターコントロール１から表示装置に送られる映像信号データのフォーマットの例を示す図である。同図は、縦１６画素横２５６画素の表示画面を構成する表示装置に映像信号を転送する場合の映像信号データのフォーマットの例を示している。すなわち、１６個の発光素子１０を備えたランプユニット６と、１６本のランプユニット６を備えた表示ブロック３と、さらに、１６個の表示ブロック３と、で構成された表示装置に映像等を表示するための映像信号データのフォーマットを示している。
例えば、映像信号は、マスターコントロール１内のメモリに一時的に格納され、表示装置が有する表示画面の画素数に応じた映像信号データ１１を作成する。同図に示す映像信号データ１１に記載されている１６進数は、画素アドレスを示している。画素アドレスとは、表示装置の発光素子１０の位置（表示装置を表示面側から見た場合の発光素子１０の位置）を示している。例えば、画素アドレス０ｘ０００〜０ｘＦ００は、表示画面の左から０番目の表示ブロックのランプユニット６（０チャンネルのランプユニット）の各画素に表示させるデータ（例えばＲＧＢデータ）を意味する。同様に、画素アドレス０ｘ０ＦＦ〜０ｘＦＦＦは、表示画面の左から１６（０ｘＦ）番目の表示ブロックにおけるランプユニット６（Ｆチャンネルのランプユニット）に表示させるデータを意味する。
映像信号データ１１は、画素アドレス０ｘ０００を先頭にしてデータ送信方向１２の方向にシリアル（直列）に送信される。すなわち、左から右へ、上から下の順に映像信号データを分割されシリアルに送信される。同図では、表示装置に表示させる映像信号データ１１のうち、最上部の行（１行目）の発光素子１０に表示させる映像信号データ１１（画素アドレス０ｘ０００を先頭に０ｘ００１、０ｘ００２、・・・、０ｘ０ＦＦの映像信号データ）が送信され、続いて表示装置に表示させる映像信号データ１１のうち、２行目の発光素子１０に表示させる映像信号データ１１（画素アドレス０ｘ１００、０ｘ１０１、０ｘ１０２、・・・、０ｘ１ＦＦ）が送信される。同様にして、画素アドレス０ｘＦＦＦまでの映像信号データがシリアルに送信される。
図４は、マスターコントロール１から送信される映像信号の概要を示す図である。Ｖシンク１３（１画面分（１コマ分）の映像信号を区切る信号）、映像信号データ１４（Ｒ、Ｇ、Ｂ各８ビット階調分のデータのシリアル信号）、そしてクロック信号１５の３種類で転送処理が行なわれる。同図に示すように、Ｖシンク１３に同期して映像の一コマ分（一画面分）の映像信号データ１１が送信される。また、映像信号データ１１の各データは、クロック信号に同期して送信される。
映像信号データ１４は、図３に示したようにシリアルに転送される。映像信号データ１１の各画素アドレスのデータは、例えば、ＲＧＢデータであり、Ｒ（赤）、Ｇ（緑）、Ｂ（青）の各データは８ビットのデータである。すなわち、図４に示すように、Ｖシンクに同期して、まず画素アドレス０ｘ０００のＲＧＢを表すデータが、Ｒ（赤）を表す信号Ｒ７、Ｒ６、・・・Ｒ０の順に送信され、次にＧ（緑）を表す信号Ｇ７、・・・、Ｇ０の順に送信さる。さらに、Ｂ（青）を表す信号Ｂ７、・・・Ｂ０が順に送信される。同様にして、画素アドレス０ｘＦＦＦまでのデータがシリアルに転送される。
シリアル転送されたデータは、表示ブロック３の基板Ｂ５においてパラレル変換され、各色（ＲＧＢ）は、８ビットバス幅でメモリ８に記録される。
図５は、本発明の実施例に使用される基板Ｂ５の構成例を示している。基板Ｂ５は基板Ａ４を介して信号線２と接続されている。基板Ａ４からの信号線２は、映像信号である入力信号のデータをカウントするデータカウント部１６と、基板Ｂ５に接続されている各ランプユニット６（同図においては１６ユニットが接続されている例が示されている）に接続されているメモリ２３（各チャンネル用メモリ２３）とに接続されている。
比較器１７は、データカウント部１６と位置設定ＳＷ１９からの信号を入力とし、１６個ある各ａｎｄ回路２０に比較結果を出力する。ここで、位置設定ＳＷ１９は、自表示ブロックを認識するための設定である。例えばＤＩＰ  ＳＷ等により前もって設定される。したがって、比較器１７により、自表示ブロックの表示に必要な入力信号のみを取り込むように制御される。
さらに、データカウント部１６からの出力信号は、メモリ選択器１８（メモリ選択用１６段デコーダ）を介して、１６個ある各ａｎｄ回路２０に出力される。
比較器１７からの信号とメモリ選択器１８との信号は、各ａｎｄ回路２０により論理積がとられ、各選択器２２に入力される。各選択器２２には、ａｎｄ回路２０からの信号（イネーブル信号）及び切り替え手段である反転用ＳＷ２１の信号が入力され、メモリ２３に書き込み制御信号を出力する。
各チャンネル用メモリ２３には、基板Ａ４からの映像信号と、選択器２２からのメモリ書き込み制御信号が入力され、その制御信号にしたがって映像信号が記録される。メモリ２３に記録された映像信号は、ランプユニット６に送出されて映像が表示される。
ここで、反転ＳＷ２１は、ノーマルモードと反転モードの切り替えを行なうＳＷである。反転用ＳＷ２１がノーマルモードの場合は、０チャンネルのメモリ２３０から昇順に映像信号データが記録される。例えば、図３に示す映像信号データ１１の画素アドレス０ｘ０００〜０ｘ００Ｆが入力されると、画素アドレス０ｘ０００のデータは、０チャンネル用のメモリ２３０に記録される。同様にして０ｘ００１〜０ｘ００Ｆの映像信号データ１１も、それぞれ１チャンネル用メモリ２３１からＦチャンネル用メモリ２３Ｆに順に記録される。
反転用ＳＷ２１が反転モードである場合は、Ｆチャンネルのメモリ２３Ｆから降順に映像信号データが記録される。例えば、図３に示す映像信号データ１１の画素アドレス０ｘ０００〜０ｘ００Ｆが入力されると、画素アドレス０ｘ０００のデータは、Ｆチャンネル用のメモリ２３Ｆに記録される。同様にして０ｘ００１〜０ｘ００Ｆの映像信号データ１１も、それぞれＥチャンネル用メモリ２３Ｅから０チャンネル用メモリ２３０に順に記録される。
本発明の実施例で使用した基板Ｂ５は、図５に示した回路構成としたが、ランプユニット表示位置を変更する機構（反転用ＳＷ２１と同様の機構）を有していればよく、例えば、図６に示す回路構成であってもよい。
同図では、基板Ｂ５は基板Ａ４を介して信号線２と接続される。信号線２は、映像信号である入力信号のデータをカウントするデータカウント部１６と、基板Ｂ５に接続されている各ランプユニット６（同図においては１６ユニットが接続されている例が示されている）に接続されているメモリ２３（各チャンネル用メモリ２３）とに接続されている。
比較器１７は、データカウント部１６と位置設定ＳＷ１９からの信号を入力とし、１６個ある各ａｎｄ回路２０に比較結果を出力する。さらに、データカウント部１６からの出力信号は、メモリ選択器１８を介して、１６個ある各ａｎｄ回路２０に出力される。
メモリ２３は、各ａｎｄ回路２０からの信号（イネーブル信号）及び基板Ａ４からの映像信号が入力される。そして、イネーブル信号にしたがって映像信号がメモリ２３に記録される。
メモリ２３に記録された映像信号は、反転用ＳＷ２１にしたがって出力するランプユニット６を選択して送出される。反転用ＳＷ２１がノーマルモードに設定されている場合、メモリ２３０からメモリ２３Ｆに記録されている映像信号データ１１は、ランプユニット６０から昇順に出力される。例えば、メモリ２３０に記録されている映像信号データ１１は、ランプユニット６０に出力され、メモリ２３１に記録されている映像信号データ１１は、ランプユニット６１に出力される。
また、反転用ＳＷ２１が、反転モードの場合は、メモリ２３０からメモリ２３Ｆに記録されている映像信号データ１１は、ランプユニット６Ｆから降順に出力される。例えば、メモリ２３０に記録されている映像信号データ１１は、ランプユニット６Ｆに出力され、同様にして、メモリ２３Ｆに記録されている映像信号データ１１は、ランプユニット６０に出力される。
図７は、図５に示した基板Ｂ５の処理概要を示すフローチャートである。基板Ａ４から送られた映像信号が基板Ｂ５に入力されると（ステップＳ７０１）、Ｖシンク立ち上がりからのデータをデータカウント部１６でカウントする（ステップＳ７０２）。このカウント値は、自表示ブロックを認識するために、例えばディップスイッチ等により設定する位置設定ＳＷ１９の値と比較器１７により比較される（ステップＳ７０３）。
この比較器１７は、カウント値と位置設定ＳＷ１９の値が一致する時だけアクティブ状態になる。一方、メモリ選択用１６段デコーダであるメモリ選択器１８は、データカウント部１６を介して入力された映像信号をデコードし（ステップＳ７０４）、各ａｎｄ回路２０に出力する。そして、各ａｎｄ回路２０において、比較器１７からの入力信号と、メモリ選択器１８からの入力信号との論理積がとられる（ステップＳ７０５）。
各ａｎｄ回路２０による論理演算の結果は、メモリ制御用のイネーブル信号として使用され、各選択器２２に入力される（ステップＳ７０６）。さらに、選択器２２は、反転用ＳＷ２１の信号の入力により、ノーマルモードと反転モードとが切り替わる（ステップＳ７０７）。
ノーマルモードである場合、選択器２２０から選択器２２Ｆは、各チャンネル用メモリ２３に対して昇順にイネーブル信号を出力する（メモリ２３１からメモリ２３Ｆに対して昇順にイネーブル信号を出力する：ステップＳ７０８）。したがって、基板Ｂ５に入力した映像信号は、昇順にメモリ２３０からメモリ２３Ｆに記録される（ステップＳ７０９）。メモリ２３に記録された映像信号データは、各チャンネル用メモリ２３に接続されているランプユニット６０〜６Ｆに映像信号が送信され、映像が表示される（Ｓ７１０）。
また、反転モードである場合、選択器２２Ｆから選択器２２０は、各チャンネル用メモリ２３に対して降順にイネーブル信号を出力する（メモリ２３Ｆからメモリ２３０に対してイネーブル信号を出力する：ステップＳ７１１）。したがって、基板Ｂ５に入力された映像信号は、降順にメモリ２３Ｆからメモリ２３０に記録される（ステップＳ７１２）。メモリ２３に記録された映像信号データは、各チャンネル用メモリ２３に接続されているランプユニット６Ｆ〜６０に映像信号が送信され、映像が表示される（Ｓ７１３）。
以上の説明により、基板Ｂ５は、反転ＳＷ２１を切り替えることによって、基板Ｂ５のチャンネルを簡単に切り替えることが可能となる。したがって、基板Ｂ５を表示画面に対して裏面向きに設置した場合であっても、反転用ＳＷ２１によってチャンネルを切り替えることにより、チャンネルが反転されるため（図８に示す裏取付け時の基板Ｂ２５を参照）、基板Ｂ５を表示画面に対して表面向きに設置した場合（図８に示す表面取り付け時の基板Ｂ２４を参照）と同様に左側のランプユニット６（０チャンネルに接続されたランプユニット６）から順に（昇順に）映像信号を表示することが可能となる。
したがって、基板Ｂ５が表示装置に表取付された場合であっても、また裏取付された場合であっても、マスターコントロール１の機能を変更すること（転送するデータフォーマットを変更すること）を要しない。
図９は、表取付け時の基板Ｂ２４を用いた表示装置の設置例を示す図である。壁２６に表示装置を取り付ける場合、基板Ａ４及び基板Ｂ５の保守は、表示面２７から行なうことになる。したがって、基板Ｂ５は、表示装置に対して表取付け時の基板Ｂ２４のように取付けられることとなる。この場合、基板Ｂ５の反転用ＳＷ２１は、ノーマルモードに設定される。
図１０は、裏取付け時の基板Ｂ２５を用いた表示装置の設定例を示す図を示す。ビル２８の屋上等に表示装置を取り付ける場合、基板Ａ４及び基板Ｂ５の保守は、表示装置の裏面２９から行なうこととなる。したがって、基板Ｂ５には、裏取付け時の基板Ｂ２５が使用される。この場合、基板Ｂ５の反転用ＳＷ２１は、反転モードに設定される。
ここで、表取付け時の基板Ｂ２４を裏取付け時の基板Ｂ２５に変更するには、基板Ｂの反転用ＳＷ２１を切り替えるだけて容易に行なうことが可能である。すなわち、表示装置の裏側２９向きに基板Ｂ５が設置されている場合（表取付け時の基板Ｂ２４の状態）、表示面２７から見た表示ブロック３０は、各ランプユニットのチャンネル３１位置が反転している状態である。したがって、この状態で映像信号を表示しようとすると、チャンネル０に接続されているランプユニットから昇順に表示されるため、同表示ブロック内では、映像が右側から表示されることになる。そこで、反転用ＳＷ２１を切り替えると、基板Ｂのチャンネルが切り替わり、裏取付け時の基板Ｂ２５の状態になり、映像信号を表示画面の右から左に表示することが可能となる。
反転用ＳＷ２１での切り替え処理は、ＤＩＰ  ＳＷ等を手動で切り替えるだけでなく自動でも行なうことも可能である。例えば、光センサ、圧力センサ等により、表示装置裏面に壁等の障害物があるかを検出して反転用ＳＷ２１を切り替えてもよい。
図１１は、本発明の実施例で使用する基板Ａ４の構成例を示す図である。マスターコントロール１又は前段の表示ブロックからの映像信号は、信号線２を介して映像信号入力部３２に入力される。入力された映像信号は、基板Ｂへの映像信号出力部３３から出力され、基板Ｂに転送される。同時に、入力された映像信号は、次段の表示ブロックへの映像信号出力部３４からも出力され、次段の表示ブロックに転送される。
本実施例で使用される基板Ａ４は、以上のように非常に簡単化されるため、故障の発生を抑えることができ、保守作業を低減することが可能となる。
図１２は、基板Ａを基板Ｂに接続した場合の図を示す。基板Ａ４は、基板Ｂに対して反転可能なように接続されている。すなわち、信号線２からの映像信号のデータ送信方向１２に合わせて、基板Ａを反転することにより、基板Ａのデータ転送方向を変更することが可能となる。
ここで、基板Ａ４は反転しなくてもよい。すなわち、図１３に示すようにデータ送信方向１２に合わせて回路を切り替えることによりデータの転送方向を変更しても良い。同図は、切り替え手段であるスイッチ３５によりデータ転送方向を変更する場合の構成例を示す図である。すなわち、スイッチ３５をＯＮにすると、映像信号入出力部Ａ３６から入力された映像信号は、映像信号入出力部Ａ３６から映像信号入出力部Ｂ３７及び、映像信号入出力部Ａ３６から基板Ｂへの映像信号出力部３８に出力される。スイッチ３５をＯＦＦにすると、映像信号入出力部Ｂ３７から入力された映像信号は、映像信号入出力部Ｂ３７から映像信号入出力部Ａ３６及び、映像信号入出力部Ｂ３７から基板Ｂへの映像信号出力部４２に出力される。
また、基板Ａと基板Ｂの基板は互いに独立している必要はない。例えば、図１４に示すように、基板Ａ部と基板Ｂ部とが同一の基板ＡＢ３９上にあってもよい。この場合、データ転送方向を変えるには、データ送信方向１２にしたがって基板ＡＢ３９を反転すればよい。
基板Ａ４及び基板Ｂ５は、ランプユニット６と独立しているため、基板Ａ、基板Ｂ及び電源ユニットのみを防水性の箱に入れることで容易に耐水性を保持することが可能となる。
また、基板Ａ４は、データ送信方向１２に応じてデータの転送方向を変更できるため、映像信号を送信するためのマスターコントロール１は設置位置の制限から解放される。
図１６は、マスターコントロール１の設置位置を変更した場合の表示装置の例を示す図である。図１６（ａ）は、表示装置に対して右端にマスターコントロール１を設置した場合の図である。すなわち、映像信号が、信号線２を介して右から左へ送信される場合である。また、図１６（ｂ）は、表示装置に対して左端にマスターコントロール１を設置した場合の図である。すなわち、映像信号が、信号線２を介して左から右へ送信される場合である。図１６（ａ）に示す設置形態と図１６（ｂ）に示す設置形態とは、基板Ｂが有する位置設定ＳＷ２１を変更することで容易に変更可能となる。
図１６（ｃ）は、マスターコントロール１の２つのチャンネルに信号線２を接続して、図１６（ａ）又は図１７（ｂ）に示すマスターコントロール１の１チャンネルを２分するようにマスターコントロール１を設置した場合の図である。
【産業上の利用の可能性】
本発明によれば、各表示ブロックに設けられた信号供給手段及び信号転送手段によって、文字または映像を表示させるための映像信号の転送方向に柔軟性をもたせることができる。マスターコントロールから転送される映像信号が、表示装置の画面に対して右方向に転送される場合であっても、左方向に転送される場合であっても、表示ブロックおよび発光モジュールであるランプユニットに的確かつ容易に映像信号を転送することが可能となる。さらに、従来表示装置では映像信号の転送方向を逆転する際に問題となる入出力用ケーブルが逆転することによる問題や設置スペースの問題を解消することが可能となる。
信号転送手段にあっては、映像信号の伝送の機能のみを有することにより、故障率を非常に低くすることが可能となり、転送途中にあるランプユニットや信号供給手段などの不具合時でも、ランプユニット不点灯領域を最小限に抑えることが可能となる。
【図１】
2005013251.tif 000003
【図２】
2005013251.tif 000004
【図３】
2005013251.tif 000005
【図４】
2005013251.tif 000006
【図５】
2005013251.tif 000007
【図６】
2005013251.tif 000008
【図７】
2005013251.tif 000009
【図８】
2005013251.tif 000010
【図９】
2005013251.tif 000011
【図１０】
2005013251.tif 000012
【図１１】
2005013251.tif 000013
【図１２】
2005013251.tif 000014
【図１３】
2005013251.tif 000015
【図１４】
2005013251.tif 000016
【図１５】
2005013251.tif 000017
【図１６】
2005013251.tif 000018
【図１７】
2005013251.tif 000019
【図１８】
2005013251.tif 000020
【図１９】
2005013251.tif 000021
【国際調査報告】
2005013251.tif 000022
2005013251.tif 000023
2005013251.tif 000024
2005013251.tif 000025